(57)【特許請求の範囲】
【請求項１】
ワイヤレス通信のための方法において、
少なくとも１つのサブフレームに対するヌルトーン密度を決定することと、
前記ヌルトーン密度に基づいて、前記少なくとも１つのサブフレームに対するヌルトーンパターンを発生させることと、
前記ヌルトーンパターンを送信することとを含み、
前記少なくとも１つのサブフレームに対するヌルトーンパターンを発生させることは、
前記少なくとも１つのサブフレームに関係付けられている復調基準信号（ＤＭＲＳ）トーンを識別することと、
前記ＤＭＲＳトーンとの衝突を回避するように、前記少なくとも１つのヌルトーンをマッピングすることとを含む方法。
【請求項２】
前記ヌルトーンパターンは、各リソースブロックにおいて、少なくとも連続したシンボル中にヌルトーンを含む請求項１記載の方法。
【請求項３】
前記ヌルトーンパターンを送信することは、少なくとも１つのユーザ機器（ＵＥ）に、前記ヌルトーンパターンを送信することを含む請求項１記載の方法。
【請求項４】
前記ヌルトーンパターンを送信することは、無認可または共有スペクトルを通して、前記ヌルトーンパターンを送信することを含む請求項１記載の方法。
【請求項５】
ＵＥは、前記ヌルトーンパターンに基づいて、無認可または共有スペクトルにおいて動作している、ワイヤレスローカルエリアネットワーク（ＷＬＡＮ）またはワイヤレスワイドエリアネットワーク（ＷＷＡＮ）によって引き起こされる干渉を検出するように構成されている請求項１記載の方法。
【請求項６】
少なくとも１つのＵＥに、前記ヌルトーンパターンを送信することは、
少なくとも１つのヌルトーンを含む１以上のサブフレームを識別することと、
前記ＵＥに、前記１以上の識別したサブフレームをシグナリングすることとを含む請求項１記載の方法。
【請求項７】
少なくとも１つのＵＥに、前記ヌルトーンパターンを送信することは、
前記ヌルトーン密度に基づいて、前記ヌルトーンパターンが、すべてのリソースブロックに割り当てられているか否かを決定することと、
前記ヌルトーンパターンが、すべてのリソースブロックに割り当てられていないことを決定すると、システム情報ブロック（ＳＩＢ）をスケジューリングすることとを含み、
前記スケジューリングすることは、ヌルトーン送信が存在しない、前記リソースブロックにおいて、前記ＳＩＢを送信することを含む請求項１記載の方法。
【請求項８】
前記少なくとも１つのサブフレームに対するヌルトーン密度を決定することと、前記ヌルトーンパターンを発生させることは、前記少なくとも１つのサブフレームに関係付けられている、少なくとも１つの直交周波数分割多重（ＯＦＤＭ）シンボル上のワイヤレスローカルエリアネットワーク（ＷＬＡＮ）信号からの干渉を検出することに応答する請求項１記載の方法。
【請求項９】
前記ＷＬＡＮ信号からの干渉を検出することに基づいて、前記ヌルトーンパターン発生を活性化することをさらに含む請求項８記載の方法。
【請求項１０】
少なくとも１つの同期信号が、前記ヌルトーンパターンをパンクチャすることを許容することをさらに含む請求項１記載の方法。
【請求項１１】
前記ヌルトーンパターンの周りの、エンハンスド物理ダウンリンク制御チャネル（ｅＰＤＣＣＨ）または物理ダウンリンク共有チャネル（ＰＤＳＣＨ）のうちの少なくとも１つに、速度マッチングをすることをさらに含む請求項１記載の方法。
【請求項１２】
地上公衆移動体ネットワークに関係付けられている１以上の基地局に対して、前記ヌルトーンパターンを同一であるように構成することをさらに含む請求項１記載の方法。
【請求項１３】
前記少なくとも１つのサブフレームにおける、エンハンスド物理ダウンリンク制御チャネル（ｅＰＤＣＣＨ）または物理ダウンリンク共有チャネル（ＰＤＳＣＨ）のうちの少なくとも１つをパンクチャすることをさらに含む請求項１記載の方法。
【請求項１４】
ワイヤレス通信のための装置において、
少なくとも１つのサブフレームに対するヌルトーン密度を決定する手段と、
前記ヌルトーン密度に基づいて、前記少なくとも１つのサブフレームに対するヌルトーンパターンを発生させる手段と、
前記ヌルトーンパターンを送信する手段とを具備し、
前記少なくとも１つのサブフレームに対するヌルトーンパターンを発生させる手段は、
前記少なくとも１つのサブフレームに関係付けられている復調基準信号（ＤＭＲＳ）トーンを識別する手段と、
前記ＤＭＲＳトーンとの衝突を回避するように、前記少なくとも１つのヌルトーンをマッピングする手段とを備える装置。
【請求項１５】
前記ヌルトーンパターンは、各リソースブロックにおいて、少なくとも連続したシンボル中にヌルトーンを含む請求項１４記載の装置。
【請求項１６】
ワイヤレス通信のためのコードを記憶する非一時的コンピュータ可読媒体において、
前記コードは、
少なくとも１つのサブフレームに対するヌルトーン密度を決定することと、
前記ヌルトーン密度に基づいて、前記少なくとも１つのサブフレームに対するヌルトーンパターンを発生させることと、
前記ヌルトーンパターンを送信することとを実行可能な命令を含み、
前記少なくとも１つのサブフレームに対するヌルトーンパターンを発生させることを実行可能な命令は、
前記少なくとも１つのサブフレームに関係付けられている復調基準信号（ＤＭＲＳ）トーンを識別することと、
前記ＤＭＲＳトーンとの衝突を回避するように、前記少なくとも１つのヌルトーンをマッピングすることとを実行可能な命令をさらに含む非一時的コンピュータ可読媒体。
【請求項１７】
前記ヌルトーンパターンは、各リソースブロックにおいて、少なくとも連続したシンボル中にヌルトーンを含む請求項１６記載の非一時的コンピュータ可読媒体。
【請求項１８】
ワイヤレス通信のための装置において、
プロセッサと、
前記プロセッサに結合されているメモリとを具備し、
前記メモリは、前記プロセッサによって、
少なくとも１つのサブフレームに対するヌルトーン密度を決定することと、
前記ヌルトーン密度に基づいて、前記少なくとも１つのサブフレームに対するヌルトーンパターンを発生させることと、
前記ヌルトーンパターンを送信することとを実行可能な命令を含み、
前記少なくとも１つのサブフレームに対するヌルトーンパターンを発生させることは、
前記少なくとも１つのサブフレームに関係付けられている復調基準信号（ＤＭＲＳ）トーンを識別することと、
前記ＤＭＲＳトーンとの衝突を回避するように、前記少なくとも１つのヌルトーンをマッピングすることとを含む装置。
【発明の詳細な説明】
【関連出願の相互参照】
【０００１】
[0001]本願は、２０１５年３月２６日に出願された、「無認可または共有スペクトルにおけるヌルトーン送信」と題された、米国仮出願番号第６２／１３８，８７５号、および２０１６年３月２４日に出願された、「無認可または共有スペクトルにおけるヌルトーン送信」と題された、米国特許出願第１５／０８０，２１７号の優先権を主張し、それらの全内容は、参照により本明細書に明示的に組み込まれている。
【背景】
【０００２】
[0002]ワイヤレス通信システムは、音声、映像、パケットデータ、メッセージング、ブロードキャスト、等々のような様々なタイプの通信コンテンツを提供するために広く展開されている。これらのシステムは、利用可能なシステムリソース（例えば、時間、周波数、および電力）を共有することによって複数のユーザとの通信をサポートすることが可能である多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ（登録商標））システム（例えば、ＬＴＥ（登録商標）システム）を含む。
【０００３】
[0003]例として、ワイヤレス多元接続通信システムは、各々が複数の通信デバイスのための通信を同時にサポートする、多数の基地局を含み得、複数の通信デバイスは、そうでない場合、ユーザ機器（ＵＥ）、モバイルデバイスまたは局（ＳＴＡ）として知られ得る。基地局は、（例えば、基地局からＵＥへの送信のための）ダウンリンクチャネル、および（例えば、ＵＥから基地局への送信のための）アップリンクチャネル上で通信デバイスと通信し得る。
【０００４】
[0004]セルラネットワークがより混雑状態になったので、オペレータは、容量を増加させるやり方に注目し始めている。１つのアプローチは、セルラネットワークのトラフィックの、またはシグナリングのいくらかの負荷を軽減するために、ワイヤレスローカルエリアネットワーク（ＷＬＡＮ）を使用することを含み得る。追加的に、オペレータは、伝統的にはＷＬＡＮのために使用していた、無認可スペクトルを、セルラ技術のために利用しようと努め得る。しかし、無認可スペクトルに対するこの増加する需要は、望ましくない干渉につながる可能性があり、これは、他よりも、ある特定の無線アクセス技術（ＲＡＴ）に影響を及ぼし得る。
【概要】
【０００５】
[0005]無認可または共有スペクトルにおいて動作されているＷＬＡＮおよび／またはワイヤレスワイドエリアネットワーク（ＷＷＡＮ）ノードによって引き起こされた干渉を検出するためのシステム、方法、および装置が開示される。本開示に従って、基地局は、１以上のサブフレームに対するヌルトーンパターンを生成し得る。ヌルトーンパターンは、各リソースブロックにおける、連続したシンボル内で、サブキャリアにマッピングされる１以上のヌルトーンを含み得る。従って、ヌルトーン送信（例えば、ダウンリンク送信またはブロードキャストメッセージの一部として）について、ＵＥは、基地局からのワイヤレスチャネルを監視し得る。いくつかのケースにおいて、ヌルトーンパターンを識別するために、知られた物理レイヤチャネルを復号することによって、ＵＥは、ヌルトーンパターンを検出し得る。いくつかの態様において、ＵＥは、識別されたヌルトーンパターンに基づいて、チャネル推定を生成し、割り当てられたリソースを復号し、将来の送信のタイミングを決定し、および／または、基地局との通信を確立し得る。よって、いくつかの態様において、無認可または共有スペクトルにおいて動作されているＷＬＡＮおよび／またはＷＷＡＮノードによって引き起こされた干渉を検出することを、ＵＥに許容するために、セル中の少なくとも１つのＵＥへ、ヌルトーンパターンが送信され得る。
【０００６】
[0006]本開示のある態様は、例えば、基地局によって実装されるワイヤレス通信のための方法を含む。いくつかの例において、方法は、少なくとも１つのサブフレームに対するヌルトーン密度を決定し、ヌルトーン密度に基づいて、少なくとも１つのサブフレームに対するヌルトーンパターンを生成することを含み得る。方法は、ヌルトーンパターンを、例えば、ＵＥに送信することをさらに含み得る。
【０００７】
[0007]別の態様において、ワイヤレス通信のための装置が、また開示される。装置は、少なくとも１つのサブフレームに対するヌルトーン密度を決定するための手段、およびヌルトーン密度に基づいて、少なくとも１つのサブフレームに対するヌルトーンパターンを生成するための手段を含み得る。装置は、ヌルトーンパターンを、例えば、ＵＥに送信するための手段をさらに含み得る。
【０００８】
[0008]いくつかの態様において、ワイヤレス通信のためのコードを記憶しているコンピュータ可読媒体が開示される。いくつかの態様において、コードは、少なくとも１つのサブフレームに対するヌルトーン密度を決定し、ヌルトーン密度に基づいて、少なくとも１つのサブフレームに対するヌルトーンパターンを生成することを実行可能な命令を備え得る。いくつかの態様において、コードは、ヌルトーンパターンを、例えば、ＵＥに送信するための命令をさらに含み得る。
【０００９】
[0009]いくつかの態様において、ワイヤレス通信のための装置が開示される。装置は、プロセッサと、プロセッサに結合されたメモリとを含み得る。メモリは、少なくとも１つのサブフレームに対するヌルトーン密度を決定し、ヌルトーン密度に基づいて、少なくとも１つのサブフレームに対するヌルトーンパターンを生成するために、プロセッサによって実行可能な命令を含み得る。いくつかの態様において、命令は、ヌルトーンパターンを、例えば、ＵＥに送信するように、さらに実行可能であり得る。
【００１０】
[0010]追加的に、または代替的に、ＵＥにおいて実装され得る、ワイヤレス通信のための別の方法が開示される。いくつかの例において、方法は、ＵＥにおいて、ブロードキャスト情報を復号すること、および、ブロードキャスト情報に基づいて、少なくとも１つのサブフレームに関連付けられたヌルトーンパターンを識別することを含み得る。方法は、ヌルトーンパターンを識別することに基づいて、基地局と通信することを、さらに含み得る。
【００１１】
[0011]いくつかの態様において、ワイヤレス通信のための装置が、また開示される。いくつかの例において、装置は、ＵＥにおいて、ブロードキャスト情報を復号するための手段、および、ブロードキャスト情報に基づいて、少なくとも１つのサブフレームに関連付けられたヌルトーンパターンを識別するための手段を含み得る。装置は、ヌルトーンパターンを識別することに基づいて、基地局と通信するための手段を、さらに含み得る。
【００１２】
[0012]いくつかの態様において、ワイヤレス通信のためのコードを記憶している、別のコンピュータ可読媒体が開示される。いくつかの例において、コードは、ＵＥにおいて、ブロードキャスト情報を復号し、ブロードキャスト情報に基づいて、少なくとも１つのサブフレームに関連付けられたヌルトーンパターンを識別するために実行可能な命令を備え得る。追加的に、または代替的に、コードは、ヌルトーンパターンを識別することに基づいて、基地局と通信するために実行可能な命令をさらに含み得る。
【００１３】
[0013]いくつかの態様において、ワイヤレス通信のための装置が開示される。装置は、プロセッサと、プロセッサに結合されたメモリとを含み得る。メモリは、ＵＥにおいて、ブロードキャスト情報を復号し、ブロードキャスト情報に基づいて、少なくとも１つのサブフレームに関連付けられたヌルトーンパターンを識別するように、プロセッサによって、実行可能である命令を含み得る。追加的に、または代替的に、命令は、ヌルトーンパターンを識別することに基づいて、基地局と通信するようにさらに実行可能であり得る。
【００１４】
[0014]前述は、以下の詳細な説明がより良く理解され得るように、本開示による例の特徴および技術的利点をどちらかといえば広く概説している。追加の特徴および利点が以下に説明されるであろう。開示される概念および特定の例は、本開示と同じ目的を実行するための他の構造を変形または設計することの基礎として容易に利用され得る。そのような等価な構造は、添付された特許請求の範囲から逸脱しない。本明細書に開示される概念の特徴は、関連する利点とともに、それらの編成および動作の方法の両方が、添付の図に関連して考慮された場合に、以下の説明からより一層理解されるであろう。図面の各々は、特許請求の範囲の限定の定義としてではなく、例証および説明のみの目的で提供される。
【図面の簡単な説明】
【００１５】
[0015]本開示の開示される態様は、開示される態様を限定するのではなく例証するように提供される、添付図面と併せて本明細書の以下において説明され、同様の表記は同様の要素を表し、ここで、破線は、オプションのコンポーネントを示し、ここにおいて、
【図１】[0016]図１は、本開示の様々な態様に従って、無認可または共有スペクトルにおいて動作されているＷＬＡＮおよび／またはＷＷＡＮノードによって引き起こされた干渉を検出するためのワイヤレス通信システムの例を例証する。
【図２Ａ】[0017]図２Ａは、本開示の様々な態様に従って、無認可または共有スペクトルを通して、ワイヤレス通信システム中で使用され得るダウンリンクフレーム構造の例を例証する図である。
【図２Ｂ】[0018]図２Ｂは、本開示の様々な態様に従って、ＤＭＲＳシンボルにマッピングされるヌルトーンパターンを備えるサブフレームの１つの例を例証する。
【図２Ｃ】[0019]図２Ｃは、本開示の様々な態様に従って、ＤＭＲＳシンボルを回避するヌルトーンパターンを備える、サブフレームの代替的な例を例証する。
【図２Ｄ】[0020]図２Ｄは、ＥＰＤＣＣＨ候補の１つと衝突するのを回避するヌルトーンパターンを備える、サブフレームの代替的な例を例証する。
【図３】[0021]図３は、本開示の様々な態様に従って、基地局の態様を含んでいる通信ネットワークの図式図の例を例証する。
【図４】[0022]図４は、本開示の様々な態様に従って、ユーザ機器の態様を含んでいる通信ネットワークの図式図の例を例証する。
【図５】[0023]図５は、本開示の様々な態様に従って、ヌルトーンパターンを生成するための態様を指し示すフローチャートの例を例証する。
【図６】[0024]図６は、本開示の様々な態様に従って、ＵＥにおいて、ヌルトーンパターンを識別するための態様を指し示すフローチャートの例を例証する。
【詳細な説明】
【００１６】
[0025]様々な態様が、これから図面を参照して説明される。以下の記述では、説明の目的で、多くの特定の詳細が、１以上の態様についての完全な理解を提供するために記載される。しかしながら、そのような態様は、これら特定の詳細なしで実現され得ることが理解されるべきである。
【００１７】
[0026]セルラネットワーク（例えば、ワイヤレスワイドエリアネットワーク（ＷＷＡＮ））の認可無線周波数スペクトル帯域から、無認可または共有無線周波数スペクトル帯域（例えば、ＷＬＡＮネットワークによって使用される帯域）に、トラフィックの負担が軽減されるとき、ＷＷＡＮおよびＷＬＡＮ信号間の干渉が発生し得る。すなわち、例えば、ＷＷＡＮおよびＷＬＡＮ信号の時間または周波数リソースにおける部分的な重複により、第１のネットワーク（例えば、ＷＬＡＮネットワーク）からの信号が、第２のネットワーク（例えば、ＷＷＡＮネットワーク）からの信号を受信するように構成された無線への干渉として現れ得る。いくつかの態様において、ＷＬＡＮが、ＷＷＡＮと異なる数（numerology）をサポートするので、ＷＬＡＮ信号は、無認可または共有スペクトル上のＷＷＡＮ信号に強い影響を与え得る。例えば、ＷＬＡＮ信号における直交周波数分割多重（ＯＦＤＭ）のためのシンボル期間は、４μｓであり得、一方、ＷＷＡＮ（例えば、ＬＴＥネットワーク）におけるＯＦＤＭシンボルのための有効なシンボル期間は、６６．６７μｓであり得る。また、いくつかの例において、ＷＬＡＮパケットは、時間および周波数領域において、ＷＷＡＮパケットと整列しないであろう。よって、短いＷＬＡＮパケット（例えば、４０−１２０μｓパケット）は、ＷＷＡＮ信号に、ほんの少しのシンボル（例えば、肯定応答、否定応答、等）しか影響を与え得ない一方、長いＷＬＡＮパケットは、非同期であり得、ＷＷＡＮ信号に、バースト性干渉として現れ得る。バースト性干渉は、受信機が経験している干渉のトータル帯域よりも小さい、ないしは狭い周波数の帯域において生じ得る、狭帯域干渉のタイプの干渉であり得る。いくつかの例において、頻繁なバースト性干渉は、変調および符号化スキーム（ＭＣＳ）インデックス値を下げ、無認可または共有スペクトル上でデバイスによって経験される全体的送信速度に悪影響を与え得る。
【００１８】
[0027]よって、本開示は、基地局によって生成されたヌルトーンパターンに基づいて、無認可または共有スペクトルにおいて動作されているＷＬＡＮまたはＷＷＡＮによって引き起こされた干渉を、ＵＥが検出するための技法を提供する。本開示の態様は、ヌルトーンを使用することによって、バースト性干渉を推定する。いくつかの例において、バースト性干渉に関連付けられた干渉の帯域は、リソースブロック中の典型的ヌルトーン、またはパイロットトーン間の周波数間隔よりも狭いであろう。よって、本開示において規定された１以上のヌルトーンパターンに従って、１以上のヌルトーンを構成することは、全体的なスループットに影響を与えるリソースを損なうことなく、リソースブロック内の周波数帯域のより広い範囲にわたって、干渉（例えば、バースト性干渉）を検出するために、より大きなフレキシビリティーとカバレッジを提供し得る。
【００１９】
[0028]本開示において、用語「ヌルトーン」は、時間周波数リソース上での非送信を指し得る。追加的に、または代替的に、用語「ヌルトーン密度」は、例えば、どの程度しばしば、あるいは、どのぐらい多くのサブフレームで、ヌルトーンが存在するか、あるいは使用されているかに関連した数密度または濃度を指し得る。いくつかの例において、用語「ヌルトーンパターン」は、１以上のリソースブロックに対するＯＦＤＭシンボル内のサブキャリアへの、特定の順序での、複数のヌルトーンの編成およびマッピングを指し得る。ＷＬＡＮは、規格の電気電子技術者協会（ＩＥＥＥ）８０２．１１ファミリ（「Ｗｉ−Ｆｉ（登録商標）」）に基づく技法を採用するネットワークであり得る。ＷＷＡＮは、以下に論じられる、ＬＴＥ／ＬＴＥ−アドバンスド（ＬＴＥ−Ａ）ネットワークの例であり得る。よって、用語「干渉」は、例えば、ＷＷＡＮ信号およびＷＬＡＮ信号が、少なくとも１つの時間または周波数リソース（例えば、無認可または共有スペクトル）において、部分的に重複することを指し得る。
【００２０】
[0029]図１は、本開示の様々な態様に従って、無認可または共有スペクトル上での干渉を検出するために、ヌルトーンパターンを生成するワイヤレス通信システム１００の例を例証する。ワイヤレス通信システム１００は、基地局１０５、アクセスポイント（ＡＰ）１２０、モバイルデバイス１１５、およびコアネットワーク１３０を含む。本開示のいくつかの態様において、基地局１０５は、マクロセル基地局と称され得、およびＡＰ１２０は、スモールセル基地局と称され得る。コアネットワーク１３０は、ユーザ認証、アクセス承認、追跡、インターネットプロトコル（ＩＰ）接続性、および他のアクセス、ルーティング、またはモビリティ機能を提供し得る。基地局１０５は、バックホールリンク１３２（例えば、Ｓ１、等）を通して、コアネットワーク１３０とインターフェースし得る。基地局１０５およびＡＰ１２０は、モバイルデバイス１１５との通信のための無線構成およびスケジューリングを実行し得るか、または基地局コントローラ（図示せず）の制御下で動作し得る。様々な例において、基地局１０５およびＡＰ１２０は、有線またはワイヤレス通信リンクであり得るバックホールリンク１３４（例えば、Ｘ２、オーバーザエアー（ＯＴＡ）等）を通して、互いに、直接的または間接的に（例えば、コアネットワーク１３０を通して）通信し得る。
【００２１】
[0030]基地局１０５およびＡＰ１２０は、１以上のアンテナを介して、モバイルデバイス１１５とワイヤレスに通信し得る。基地局１０５およびＡＰ１２０の各々は、それぞれの地理的なカバレッジエリア１１０に通信カバレッジを提供し得る。いくつかの例において、基地局１０５は、基地トランシーバ局、無線基地局、アクセスポイント、無線トランシーバ、ノードＢ、ｅノードＢ（ｅＮＢ）、ホームノードＢ、ホームｅノードＢ、または他の何らかの好適な用語で称され得る。基地局１０５のための地理的なカバレッジエリア１１０−ａ、およびＡＰ１２０のための地理的なカバレッジエリア１１０−ｂは、カバレッジエリアの一部のみを構成するセクタ（図示せず）に分割され得る。ワイヤレス通信システム１００は、異なるタイプ（例えば、マクロまたはスモールセル基地局）の基地局１０５およびＡＰ１２０を含み得る。異なる技術のために部分的に重複している地理的カバレッジエリア１１０が存在し得る。
【００２２】
[0031]モバイルデバイス１１５は、通信リンク１２５を使用して、基地局１０５およびＡＰ１２０を通して互いに通信し得る一方、各モバイルデバイス１１５はまた、ダイレクトワイヤレスリンク１３５を介して、１以上の他のモバイルデバイス１１５と直接通信し得る。２つ以上のモバイルデバイス１１５は、両方のモバイルデバイス１１５が地理的カバレッジエリア１１０にあるとき、または１つのモバイルデバイスがＡＰ地理カバレッジエリア１１０内にあるとき、あるいはいずれのモバイルデバイスもＡＰ地理カバレッジエリア１１０内に無いとき、ダイレクトワイヤレスリンク１３５を介して通信し得る。ダイレクトワイヤレスリンク１３５の例は、Ｗｉ−Ｆｉダイレクト接続、Ｗｉ−Ｆｉトンネルのダイレクトリンクセットアップ（ＴＤＬＳ）リンクを使用して確立された接続、および他のＰ２Ｐグループ接続を含み得る。他の実装において、他のピアツーピア接続またはアドホックネットワークは、ワイヤレス通信システム１００内に実装され得る。
【００２３】
[0032]いくつかの例において、ワイヤレス通信システム１００は、ＬＴＥ／ＬＴＥ−アドバンスド（ＬＴＥ−Ａ）ネットワークのような、ワイヤレスワイドエリアネットワーク（ＷＷＡＮ）を含む。ＬＴＥ／ＬＴＥ−Ａネットワークにおいて、用語発展型ノードＢ（ｅＮＢ）は、一般的に、基地局１０５を説明するために使用される一方、用語ユーザ機器（ＵＥ）は、一般的に、モバイルデバイス１１５を説明するために使用され得る。ワイヤレス通信システム１００は、異なるタイプのｅＮＢが様々な地理的領域にカバレッジを提供する異種ＬＴＥ／ＬＴＥ−Ａネットワークを含み得る。ワイヤレス通信システム１００はまた、いくつかの例において、ワイヤレスローカルエリアネットワーク（ＷＬＡＮ）をサポートし得る。ＷＬＡＮは、電気電子技術者協会（ＩＥＥＥ）８０２．１１ファミリ（「Ｗｉ−Ｆｉ」）の規格に基づく技法を採用するネットワークであり得る。いくつかの例において、各ｅＮＢまたは基地局１０５およびＡＰ１２０は、マクロセル、スモールセル、または他のタイプのセルのための通信カバレッジを提供し得る。用語「セル」は、コンテキストに依存して、基地局、基地局に関連付けられたキャリアまたはコンポーネントキャリア、あるいはキャリアまたは基地局のカバレッジエリア（例えばセクタ、等）を説明するために使用されることができる３ＧＰＰ（登録商標）用語である。
【００２４】
[0033]マクロセルは、一般的に、比較的大きい地理的エリア（例えば、半径数キロメートル）をカバーし、ネットワークプロバイダにサービス加入しているモバイルデバイス１１５による無制限アクセスを可能にし得る。スモールセルは、マクロセルと同じまたは異なる（例えば、認可された、認可されていない、等の）周波数帯域中で動作し得る、マクロセルと比較すると、より低電力の基地局である。スモールセルは、様々な例に従って、ピコセル、フェムトセル、およびマイクロセルを含み得る。例えば、ピコセルは、小さい地理的エリアをカバーし、ネットワークプロバイダにサービス加入しているモバイルデバイス１１５による無制限アクセスを可能にし得る。フェムトセルもまた、小さい地理的エリア（例えば、家）をカバーし、フェムトセルとの関連付けを有するモバイルデバイス１１５（例えば、クローズド加入者グループ（ＣＳＧ）中のモバイルデバイス１１５、家の中にいるユーザのためのモバイルデバイス１１５、およびそのようなもの）による制限されたアクセスも提供し得る。マクロセルのためのｅＮＢは、マクロｅＮＢと称され得る。スモールセルのためのｅＮＢは、スモールセルｅＮＢ、ピコｅＮＢ、フェムトｅＮＢまたはホームｅＮＢと呼ばれ得る。ｅＮＢは、１つまたは多数（例えば、２つ、３つ、４つ、およびそのようなもの）のセル（例えば、コンポーネントキャリア）をサポートし得る。
【００２５】
[0034]ワイヤレス通信システム１００は、同期動作または非同期動作をサポートし得る。同期動作について、基地局１０５は、類似したフレームタイミングを有し得、異なる基地局１０５からの送信が、時間的にほぼ整列され得る。非同期動作について、基地局１０５は異なるフレームタイミングを有し得、異なる基地局１０５からの送信が、時間的に整列されないことがある。本明細書に説明される技法は、同期または非同期動作のいずれかに使用され得る。
【００２６】
[0035]様々な開示される例のうちのいくつかを取り入れ得る通信ネットワーク（例えば、ワイヤレス通信ネットワーク１００）は、レイヤードプロトコルスタックに従って動作するパケットベースのネットワークであり得る。ユーザプレーンにおいて、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを通して通信するために、パケットセグメンテーションおよびリアセンブリを実行し得る。媒体アクセス制御（ＭＡＣ）レイヤは、優先処理および論理チャネルのトランスポートチャネルへの多重化を実行し得る。ＭＡＣレイヤはまた、リンク効率を向上させるために、ＭＡＣレイヤにおける再送信を提供するハイブリッド自動繰り返し要求（ＨＡＲＱ）も使用することができる。制御プレーンにおいて、無線リソース制御（ＲＲＣ）プロトコルレイヤは、モバイルデバイス１１５と基地局１０５との間のＲＲＣ接続の確立、構成、および維持を提供し得る。ＲＲＣプロトコルレイヤはまた、ユーザプレーンデータのための無線ベアラのコアネットワーク１３０サポートのためにも使用され得る。物理（ＰＨＹ）レイヤにおいて、トランスポートチャネルは、物理チャネルにマッピングされ得る。
【００２７】
[0036]モバイルデバイス１１５は、ワイヤレス通信システム１００全体にわたって分散され得、各モバイルデバイス１１５は、固定またはモバイルであり得る。モバイルデバイス１１５はまた、当業者によって、ユーザ機器（ＵＥ）、モバイル局、加入者局、ＳＴＡ、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語を含み得るか、それで称され得る。モバイルデバイス１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、またはそのようなものであり得る。モバイルデバイスは、マクロｅＮＢ、スモールセルｅＮＢ、中継基地局、およびそのようなものを含む様々なタイプの基地局ならびにネットワーク機器と通信することができ得る。モバイルデバイス１１５は、適応型スキャニング技法を採用する多無線デバイスであり得る。例えば、モバイルデバイス１１５は、その無線のうちの１つのスキャニング動作を、その無線のうちの別のものの信号品質に基づいて、動的に適応し得る。いくつかの例において、デュアル無線ＵＥ１１５−ａは、ＷＬＡＮ無線（図示せず）およびＷＷＡＮ無線（図示せず）を含み、（ＷＷＡＮ無線を利用して）基地局１０５および（ＷＬＡＮ無線を利用して）ＡＰ１２０と同時に通信するように構成され得る。
【００２８】
[0037]ワイヤレス通信システム１００中に指し示されている通信リンク１２５は、モバイルデバイス１１５から基地局１０５またはＡＰ１２０へのアップリンク（ＵＬ）送信、あるいは基地局１０５またはＡＰ１２０からモバイルデバイス１１５へのダウンリンク（ＤＬ）送信を含み得る。ダウンリンク送信は、順方向リンク送信とも呼ばれ得、一方、アップリンク送信は、逆方向リンク送信とも呼ばれ得る。各通信リンク１２５は、１以上のキャリアを含み得、ここで、各キャリアは、上に説明された様々な無線技術に従って変調される複数のサブキャリアから成る信号（例えば、異なる周波数の波形信号）であり得る。各変調された信号は、異なるサブキャリア上で送られ、制御情報（例えば、基準信号、制御チャネル、等）、オーバヘッド情報、ユーザデータ、等を搬送し得る。通信リンク１２５は、（例えば、ペアのスペクトルリソースを使用する）周波数分割複信（ＦＤＤ）、または（例えば、ペアではないスペクトルリソースを使用する）時分割複信（ＴＤＤ）動作を使用して２方向通信を送信し得る。ＦＤＤに対するフレーム構造（例えば、フレーム構造タイプ１）およびＴＤＤに対するフレーム構造（例えば、フレーム構造タイプ２）が定義され得る。
【００２９】
[0038]通信リンク１２５は、認可スペクトルまたは無認可スペクトル、またはその両方のリソースを利用し得る。幅広く言うと、無認可スペクトルは、いくつかの管轄において、６００メガヘルツ（ＭＨｚ）から６ギガヘルツ（ＧＨｚ）までの範囲に及び得るが、その範囲に限定されない。本明細書に使用されるように、用語「無認可スペクトル」または「共有スペクトル」は、産業、科学、および医療用（ＩＳＭ）無線帯域を指すことができ、それら帯域の周波数にかかわらない。「無認可スペクトル」または「共有スペクトル」は、コンテンションベースの通信システムにおいて使用されるスペクトルを指し得る。いくつかの例において、無認可スペクトルは、Ｕ−ＮＩＩ無線帯域であり、これは、５ＧＨｚまたは５Ｇ帯域とも称され得る。対照的に、用語「認可スペクトル」または「セルラスペクトル」は、本明細書では、所管官庁からの管理的認可の下にあるワイヤレスネットワークオペレータによって利用されるワイヤレススペクトルのことを指すために使用され得る。
【００３０】
[0039]ワイヤレス通信システム１００は、複数のセルまたはキャリア上での動作をサポートし得、その特徴は、キャリアアグリゲーション（ＣＡ）またはマルチキャリア動作と呼ばれ得る。キャリアはまた、コンポーネントキャリア（ＣＣ）、レイヤ、チャネル、等とも呼ばれ得る。用語「キャリア」、「コンポーネントキャリア」、「セル」および「チャネル」は、本明細書において交換可能に使用され得る。モバイルデバイス１１５は、キャリアアグリゲーションのために複数のダウンリンクＣＣおよび１以上のアップリンクＣＣで構成され得る。キャリアアグリゲーションは、ＦＤＤおよびＴＤＤコンポーネントキャリアの両方で使用され得る。
【００３１】
[0040]ワイヤレス通信システム１００におけるデータは、論理チャネル、トランスポートチャネル、および物理レイヤチャネルに分割され得る。チャネルはまた、制御チャネルおよびトラフィックチャネルに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのＤＬ共有チャネル（ＤＬ−ＳＣＨ）と、ページング情報のためのページングチャネル（ＰＣＨ）と、マルチキャスト送信のためのマルチキャストチャネル（ＭＣＨ）を含み得る。
【００３２】
[0041]本開示に従って、基地局１０５は、少なくとも１つのサブフレームに対するヌルトーン密度を決定し得、ヌルトーン密度に基づいて、少なくとも１つのサブフレームに対するヌルトーンパターンを生成し得る。いくつかの例において、ヌルトーンパターンは、各リソースブロックにおける、少なくとも連続したシンボル中のヌルトーンを備え得る。ヌルトーンパターンを生成次第、基地局１０５は、ブロードキャストメッセージを送信することによって、少なくとも１つのＵＥ（例えば、ＵＥ１１５−ａ）に、無認可または共有スペクトルを通して、ヌルトーンパターンをシグナリングまたは送信し得る。よって、ＵＥ１１５−ａは、ヌルトーンパターンに基づいて、無認可または共有スペクトルにおいて動作されているＷＬＡＮまたはＷＷＡＮノードによって引き起こされた干渉を検出するように構成され得る。ＷＬＡＮまたはＷＷＡＮノードは、無認可または共有スペクトルにおいて動作される、基地局１０５および／またはＵＥ１１５のうちの１つを指し得る。いくつかの態様において、デバイス（例えば、基地局またはＵＥ）に近接する、別の基地局１０５および／またはＵＥ１１５は、干渉の源であり得る。
【００３３】
[0042]追加的に、または代替的に、ＵＥ１１５−ａは、無認可または共有スペクトルを通して、共通サーチ空間中で、基地局１０５から受信されたブロードキャストメッセージまたはブロードキャスト情報を復号し得る。ＵＥ１１５−ａは、ブロードキャスト情報に基づいて、少なくとも１つのサブフレームに関連付けられたヌルトーンパターンを識別し得る。いくつかの例において、ヌルトーンパターンは、エンハンスド物理ダウンリンク制御チャネル（ｅＰＤＣＣＨ）または物理ダウンリンク共有チャネル（ＰＤＳＣＨ）のうちの少なくとも１つをパンクチャすることに基づいて、識別され得る。従って、上記で論じられたように、ＵＥ１１５−ａは、ヌルトーンパターンに基づいて、無認可または共有スペクトルにおいて動作されているＷＬＡＮまたはＷＷＡＮノードによって引き起こされた干渉を検出するように構成され得る。
【００３４】
[0043]図２Ａは、図１に関連して上記で説明されたワイヤレス通信システム１００を含んでいる、無認可または共有スペクトルを通して、ワイヤレス通信システムにおいて使用され得るダウンリンクフレーム構造２０２の例を例証する図である。例えば、フレーム構造２０２は、ＬＴＥ／ＬＴＥ−Ａまたは同様のシステム（例えば、無認可または共有スペクトルにおいて動作するように適応されたシステム）において使用され得る。フレーム２１０（１０ｍｓ）は、１０個の等しい大きさとされたサブフレーム（例えば、サブフレーム２２５、２３０、２３５等）に分割され得る。本開示のいくつかの態様において、１以上のサブフレームは、無認可または共有スペクトルにおいて動作されているＷＬＡＮおよび／またはＷＷＡＮノードによって引き起こされた干渉を検出する際にＵＥ１１５を手助けするために、ヌルトーンを含むように構成され得る。用語ＷＬＡＮノードまたはＷＷＡＮノードは、無認可または共有スペクトルにおいて動作される、基地局１０５および／またはＵＥ１１５を指し得る。
【００３５】
[0044]いくつかの例において、サブフレーム２３０（例えば、フレーム２１０におけるサブフレーム５）は、２つの連続する時間スロット２６２および２６４を含み得る。ＯＦＤＭＡコンポーネントキャリア２５０は、２つの時間スロット２６２、２６４を表わすリソースグリッドとして例証され得、各時間スロットは、通常のサイクリックプレフィックスに対して、７個のＯＦＤＭシンボル２６６を含んでいる。リソースグリッドは、複数のリソースエレメント２５２に分割され得る。ＬＴＥ／ＬＴＥ−Ａにおいて、リソースブロック２５６は、周波数領域中の１２個の連続したサブキャリア２６８と、各ＯＦＤＭシンボル２６６中の通常のサイクリックプレフィックスに対して、時間領域中で７個の連続したＯＦＤＭシンボル２６６とを含み得、すなわち、８４個のリソースエレメント２５２を含み得る。サブキャリア２６８に対するトーン間隔は、１５ｋＨｚであり得、ＯＦＤＭシンボル２６６に対する有用なシンボル期間は、６６．６７μｓであり得る。ＯＦＤＭシンボル２６６はまた、通常のレガシーＬＴＥサイクリックプレフィックスに対して、各スロット２６２、２６４における第１のＯＦＤＭシンボル２６６について５．１μｓ、または他のＯＦＤＭシンボル２６６について４．６９μｓ、のサイクリックプレフィックスを含み得る。
【００３６】
[0045]Ｒ（例えば、２５４）として示されている、リソースエレメントのうちのいくつかは、ＤＬ基準信号（ＤＬ−ＲＳ）を含み得る。ＤＬ−ＲＳは、セル固有ＲＳ（ＣＲＳ）（共通ＲＳと呼ばれることもある）およびＵＥ固有ＲＳ（ＵＥ−ＲＳ）を含み得る。ＵＥ−ＲＳは、対応する物理ＤＬ共有チャネル（ＰＤＳＣＨ）２６０がマッピングされるリソースブロック上でのみ送信され得る。各リソースエレメントによって搬送されるビット数は、変調スキームに依存し得る。
【００３７】
[0046]図２Ａに例証されるように、物理ダウンリンク制御チャネル（ＰＤＣＣＨ）２５５は、物理ダウンリンク共有チャネル（ＰＤＳＣＨ）２６０と時分割多重化され得、第１のレイヤサブフレーム２３０の第１の領域内のコンポーネントキャリア２５０の全帯域幅内に、完全に分布され得る。図２において例証される例において、ＰＤＣＣＨ２５５は、サブフレーム２３０の最初の３つのシンボルを占有する。ＰＤＣＣＨ２５５は、サブフレーム２３０に対する、コンポーネントキャリア帯域幅および制御情報の量に基づいて、適切であるように、より多くまたはより少ないシンボルを有し得る。いくつかの態様において、本開示は、制御チャネル容量を増加し、周波数領域セル間干渉調整をサポートし、および／またはＤＭＲＳベースの制御チャネル受信をサポートするために、エンハンスド物理ダウンリンク制御チャネル（ｅＰＤＣＣＨ）を組み込み得る。１以上の例において、ｅＰＤＣＣＨは、制御情報送信のためにＰＤＳＣＨリソースを使用し得る。よって、いくつかの例において、周波数領域におけるリソースのセットは、第１の時間スロット２６２および第２の時間スロット２６４に対する時間領域を横切って、ｅＰＤＣＣＨの送信のために割り振られ得る。いくつかの例において、セル中の１以上のＵＥ１１５は、異なるｅＰＤＣＣＨ構成で構成され得る。
【００３８】
[0047]ＰＤＣＣＨは、制御チャネルエレメント（ＣＣＥ）において、ダウンリンク制御情報（ＤＣＩ）を搬送し得る。ＤＣＩは、例えば、ダウンリンクスケジューリング割り当て、アップリンクリソース許諾、送信スキーム、アップリンク電力制御、ハイブリッド自動返信繰り返し要求（ＨＡＲＱ）情報、変調および符号化スキーム（ＭＣＳ）、および他の情報、に関する情報を含み得る。ＤＣＩは、ＤＣＩのフォーマットに依存して、ＵＥ固有（専用）またはセル固有（共通）であり得、ＰＤＣＣＨ内の異なる専用、および共通サーチ空間中に配置され得る。
【００３９】
[0048]いくつかの例において、セル毎のベースに基づいて、Ｎ（例えば、２６９）と指定されたヌルトーンは、１以上のリソースエレメントにマッピングされ得る。特定の順序で、１以上のリソースエレメントにマッピングされた、１以上のヌルトーンの組み合わせは、ヌルトーンパターン（図２Ｂおよび２Ｃ参照）と説明され得る。いくつかの例において、セル識別（ＩＤ）に基づいて、特有のヌルトーンパターンが、各セルに割り当てられ得る。例えば、第１のセルは、第１のヌルトーンパターンが割り当てられ得、一方、第２のセル（例えば、隣接セル）は、第１のヌルトーンパターンと比較したとき、ヌルトーンの異なる数、順序、および／または配列を有し得る、第２のヌルトーンパターンが割り当てられ得る。いくつかの態様において、セルは、セルＩＤに関連付けられたヌルトーンまたはヌルトーンパターンを、セルのカバレッジエリア内の１以上のＵＥ１１５に送信し得る。１つの例において、セルは、指定されたヌルトーンリソースエレメン中で、任意のデータまたは制御信号を送信するのに失敗することによって、ＵＥ１１５に、ヌルトーンを送信し得る。代替的に、セルは、ヌルトーンを送信するために、リソースエレメントにマッピングされた、データまたは制御信号の一部をパンクチャするか削除し得る。従って、ＵＥ１１５は、基地局１０５からの１以上のダウンリンク送信において、欠落したデータ／制御信号および／またはパンクチャされたデータ／制御信号を有するリソースエレメントから、ヌルトーンパターンを識別するように構成され得る。１以上の例において、セルは、ヌルトーン送信用のｅＰＤＣＣＨ２５５および／またはＰＤＳＣＨのために確保されたリソースエレメントをパンクチャし得る。追加的に、または代替的に、セルは、ヌルトーンパターンの周りのｅＰＤＣＣＨまたはｅＰＤＳＣＨのうちの少なくとも１つに、速度のマッチングをし得る。
【００４０】
[0049]図２Ｂは、本開示の様々な態様に従うヌルトーンパターンを備える、サブフレーム２０４の１例を例証する。サブフレーム２０４は、図１に関連して、上記で説明されたＵＥ１１５および基地局１０５間の通信のために使用され得る。いくつかの例において、サブフレーム２０４は、図２Ａに関連して説明されたＬＴＥサブフレーム（例えば、サブフレーム２３０）の例であり得る。サブフレーム２０４は、スロット０（例えば、時間スロット２６２）およびスロット１（例えば、時間スロット２６４）を含んでいる、２つの連続した時間スロットを含み得る。上記で論じられたように、リソースグリッドは、複数のリソースエレメントに分割し得る。ＬＴＥ／ＬＴＥ−Ａにおいて、リソースブロック２５６は、周波数領域中で１２個の連続したサブキャリア、および時間領域中で７個の連続したＯＦＤＭシンボルを含み得る。図２Ｂは、時間領域中の２つの連続したリソースブロック２５６を例証する。
【００４１】
[0050]いくつかの例において、サブフレーム２０５は、無認可または共有スペクトルにおいて動作されているＷＬＡＮおよび／またはＷＷＡＮノードによって引き起こされた干渉を検出するために、ヌルトーンパターン２８０を含み得る。サブフレーム２０４は、リソースブロックにおける１以上のリソースエレメントにマッピングされた１以上のヌルトーンを備えるヌルトーンパターン２８０を含み得る。図２Ｂは、サブフレーム２０４におけるヌルトーン送信のための１つの可能なパターンを例証する。いくつかの例において、基地局は、少なくとも１つのサブフレーム２０４に対するヌルトーン密度を決定し得る。少なくとも１つのサブフレームに対するヌルトーン密度を決定することは、無認可または共有スペクトル上の少なくとも１つのサブフレームに関連付けられた、少なくとも１つのＯＦＤＭシンボル上のＷＬＡＮ信号および／またはＷＷＡＮ信号からの干渉を検出することに応答し得る。よって、いくつかの態様において、基地局は、ヌルトーンを備え得るリソースブロックの数を決定し得る。例えば、基地局は、Ｋ個毎のリソースブロックに、ヌルトーンを割り当て得、ここで、Ｋは、整数（例えば、Ｋ＝１、２、３、４、等）であり得る。よって、Ｋ＝１である場合、ヌルトーンは、全てのリソースブロックに割り当て得る。同様に、Ｋ＝２である場合、ヌルトーンは、リソースブロックに１つおきに割り当てられ得る、等々である。いくつかの例において、ヌルトーン密度は、無認可または共有スペクトル上で経験される干渉のタイプに基づき得る。例えば、干渉のタイプが、少ない数のリソースブロックにまたがる狭帯域干渉（例えば、４個のリソースブロックにまたがる干渉）を含む場合、基地局は、全てのリソースブロックにおけるヌルトーンを表わす高トーン密度（例えば、Ｋ＝１）を選択し得る。反対に、干渉のタイプが、多数のリソースブロックにまたがる広帯域干渉（例えば、２０個のリソースブロックにまたがる干渉）を含む場合、基地局は、より低い密度（例えば、Ｋ＝４）を選択し得る。ここで、ヌルトーンは、４つ毎のリソースブロックに存在し得る。従って、基地局は、無認可または共有スペクトル上で経験される干渉のタイプ（例えば、狭帯域および／または広帯域）に基づいて、トーン密度をダイナミックに選択し得る。
【００４２】
[0051]従って、選択されたヌルトーン密度に基づいて、基地局１０５は、１以上のリソースブロックにおける少なくとも連続したシンボル中のヌルトーンを備える、ヌルトーンパターン２８０を生成し得る。いくつかの例において、セル固有基準信号（ＣＲＳ）トーン２７５およびヌルトーンパターン２８０は、同一のリソースエレメントにおいて衝突し得る。ＣＲＳトーン２７５の位置は、全てのリソースブロックにわたって同一であり得るので、衝突は、セルＩＤに依存し得る。ＣＲＳトーン２７５およびヌルトーン間の衝突を回避するために、基地局１０５は、いくつかの例において、ヌルトーンパターンに垂直シフトを適用することによって、リソースブロックに対するヌルトーンパターン２８０を修正し得る。さらなる例において、基地局１０５は、サブフレーム２０４中の、１以上のリソースエレメントにマッピングされた１以上の復調基準信号（ＤＭＲＳ）トーン２７０を識別し得る。ＤＭＲＳトーン２７０を識別することに基づいて、基地局１０５は、ＤＭＲＳトーン２７０との衝突を回避するように、ヌルトーンをマッピングし得る。図２Ｂにおいて例証された例において、ヌルトーンは、ＤＲＭＳシンボルの一部であるＤＭＲＳトーン２７０を回避しながら、ＤＭＲＳシンボル中の１以上のリソースエレメントを占有または１以上のリソースエレメントにマッピングされ得る。
【００４３】
[0052]図２Ｃ中に例証される代替的例において、サブフレーム２０６は、ＤＭＲＳのために確保されたシンボル中に、１以上のヌルトーンをマッピングすることを回避するヌルトーンパターン２８０を備え得る。従って、ＵＥ１１５は、ヌルトーン送信（例えば、ダウンリンク送信の一部として）のための、基地局１０５からのワイヤレスチャネルを監視し得る。いくつかのケースにおいて、ＵＥ１１５は、知られた物理レイヤチャネル（例えば、ｅＰＤＣＣＨおよび／またはｅＰＤＳＣＨ）を復号することによって、ヌルトーンパターンを検出し得る。他のケースにおいて、ＵＥ１１５は、基地局１０５によって送信されたブロードキャスト情報に基づいて、ヌルトーンパターンを識別し得る。識別されたヌルトーンパターンに基づいて、ＵＥ１１５は、チャネル推定を生成し、割り振られたリソースを復号し、または将来の送信のタイミングを決定し、ヌルトーンパターンに基づいて、基地局１０５との通信を確立し得る。図２Ｃにおいて例証された例において、ヌルトーンは、ＤＭＲＳシンボル中のリソースエレメントを占有し得ない、またはＤＭＲＳシンボル中のリソースエレメントにマッピングされ得ない。この例において、ＤＭＲＳシンボルに関連付けられたリソースエレメントのいずれにも、ヌルトーンパターンの一部であるヌルトーンは無い。
【００４４】
[0053]図２Ｄは、ｅＰＤＣＣＨの候補の１つとの衝突を回避するように設計されたヌルトーンパターンの例２０８を例証する。上記で論じられたように、いくつかの本開示の態様は、制御チャネル容量を増加し、周波数領域セル間干渉調整をサポートし、および／または、ＤＭＲＳベースの制御チャネル受信をサポートするために、エンハンスド物理ダウンリンク制御チャネル（ｅＰＤＣＣＨ）を組み込み得る。１以上の例において、ｅＰＤＣＣＨは、制御情報送信のためのＰＤＳＣＨリソースを使用し得る。よって、いくつかの例において、周波数領域におけるリソースのセットは、第１の時間スロット２６２および第２の時間スロット２６４のための時間領域を横切ったＰＤＣＣＨの送信のために割り振られ得る。いくつかの態様において、ｅＰＤＣＣＨのための共通のサーチ空間は、異なるアグリゲーションレベル（例えば、最大のアグリゲーションレベル１６）を含み得る。共通サーチ空間の位置は、１以上のＵＥに、ブロードキャストまたはユニキャストされ得る。
【００４５】
[0054]従って、いくつかの態様において、基地局１０５は、２つのＥＰＤＣＣＨ候補のうちの１つに割り当てられ得るリソースエレメントを識別し得、リソースエレメントのセットが、ＯＦＤＭシンボル当たり、少なくとも１つのリソースエレメントを含むように、ヌルトーン２８０に対するリソースエレメントのセットを選択する。そして、ここにおいて、リソースエレメントのセットにおける全てのリソースエレメントは、例となる図２Ｄに例証されたように、同一のＥＰＤＣＣＨ候補に所属する。
【００４６】
[0055]図３を参照しながら、ある態様において、ワイヤレス通信システム３００は、少なくとも１つの基地局１０５の通信カバレッジにおいて、少なくとも１つのＵＥ１１５を含む。ワイヤレス通信システム３００は、図１に関連して説明されたワイヤレス通信システム１００の例であり得る。また、いくつかの例において、ＵＥ１１５および／または基地局１０５は、図１に関連して説明されたＵＥ１１５および基地局１０５の例であり得る。
【００４７】
[0056]ある態様において、基地局１０５−ｂは、機能を実行するように構成された基地局管理コンポーネント３０５、方法論（例えば、図５の方法５００）、または本開示において示された方法の組み合わせで動作し得る１以上のプロセッサ２１を含み得る。１以上のプロセッサ２１は、１以上のモデムプロセッサを使用するモデム１０９を含み得る。基地局管理コンポーネント３０５に関係する様々な機能は、モデム１０９および／またはプロセッサ２１中に含まれ得、ある態様において、単一プロセッサによって実行され得、一方、他の態様において、機能の異なるものは、２以上の異なるプロセッサの組み合わせによって実行され得る。例えば、ある態様において、１以上のプロセッサ２１は、モデムプロセッサ、またはベースバンドプロセッサ、またはデジタル信号プロセッサ、または送信プロセッサ、またはトランシーバ７４に関連付けられたトランシーバプロセッサ、またはシステムオンチップ（ＳｏＣ）、の任意の１つまたはいくつかの組み合わせを含み得る。特に、１以上のプロセッサ２１は、基地局管理コンポーネント３０５に含まれる機能およびコンポーネントを実行し得る。
【００４８】
[0057]基地局管理コンポーネント３０５は、少なくとも１つのサブフレームに対するヌルトーン密度を決定するためのトーン密度コンポーネント３１５を含み得る。いくつかの例において、少なくとも１つのサブフレームに対するヌルトーン密度を決定することは、少なくとも１つのサブフレームに関連付けられた、少なくとも１つの直交周波数分割多重（ＯＦＤＭ）シンボル上のワイヤレスローカルエリアネットワーク（ＷＬＡＮ）信号および／またはワイヤレスワイドエリアネットワーク（ＷＷＡＮ）信号からの干渉を検出することに応答し得る。よって、いくつかの態様において、トーン密度コンポーネント３１５は、ヌルトーンを備え得るリソースブロックの数を決定し得る。例えば、トーン密度コンポーネント３１５は、少なくとも１つのヌルトーンが、Ｋ個毎のリソースブロックに存在し得ることを決定し得、ここにおいて、Ｋは、（例えば、Ｋ＝１、２、３、４、等）の整数であり得る。ヌルトーン密度は、無認可または共有スペクトル上で経験される干渉のタイプを識別することに基づき得る。例えば、干渉のタイプが、狭帯域干渉を含む場合、トーン密度コンポーネント３１５は、全てのリソースブロックにおけるヌルトーンを表わす高トーン密度（例えば、Ｋ＝１）を選択し得る。反対に、干渉のタイプが、広帯域干渉を含む場合、トーン密度コンポーネント３１５は、より低い密度（例えば、Ｋ＝４）を選択し得、ここで、ヌルトーンは、４つ毎のリソースブロックに存在し得る。従って、トーン密度コンポーネント３１５は、無認可または共有スペクトル上で経験される干渉のタイプ（例えば、狭帯域および／または広帯域）に基づいて、トーン密度をダイナミックに選択し得る。
【００４９】
[0058]基地局管理コンポーネント３０５は、追加的に、トーン密度コンポーネント３１５によって選択されたヌルトーン密度に基づいて、少なくとも１つのサブフレームに対するヌルトーンパターンを生成するように構成されたパターン生成コンポーネント３２０を含み得る。いくつかの態様において、ヌルトーンパターンは、各リソースブロックにおける、少なくとも連続したシンボル中のヌルトーンを備え得る。追加的に、または代替的に、少なくとも１つのサブフレームに対するヌルトーンパターンの生成は、少なくとも１つのサブフレームに関連付けられた復調基準信号（ＤＭＲＳ）トーンを識別すること、およびＤＭＲＳトーン（図２Ｃを参照）との衝突を回避するように、少なくとも１つのヌルトーンをマッピングすることを備え得る。少なくとも１つのサブフレームに関連付けられたＤＭＲＳトーンを識別する方法は、ＤＭＲＳトーン識別コンポーネント３２５によって実行され得る。
【００５０】
[0059]いくつかの態様において、パターン生成コンポーネント３２０は、少なくとも１つのサブフレームに関連付けられたセル固有基準信号（ＣＲＳ）トーンを識別するための、ＣＲＳトーン識別コンポーネント３３０をさらに含み得る。いくつかの例において、ＣＲＳトーンおよびヌルトーンは、同一のリソースエレメントにおいて衝突し得、衝突は、セル識別（ＩＤ）に依存し得る。ＣＲＳトーンの位置が、複数のリソースブロックを横切って、同一であり得るので、ＣＲＳトーンおよびヌルトーン間の衝突は、リソースブロック間のヌルトーン位置を修正または変化することによって回避され得る。いくつかの例において、リソースブロックに対するヌルトーンパターンを修正することは、ＣＲＳトーンの位置を識別することに基づいて、ヌルトーンパターンに垂直シフトを適用することを備え得る。
【００５１】
[0060]いくつかの例において、基地局管理コンポーネント３０５は、追加的に、無認可または共有スペクトルを通して、ヌルトーンパターンを少なくとも１つのＵＥ１１５に送信するための信号を生成するためのシグナリングコンポーネント３３５を含み得る。１つの例において、ヌルトーンパターン情報を備える生成された信号は、ブロードキャストチャネル上でＵＥ１１５に送信され得る。いくつかの態様において、ＵＥ１１５は、ヌルトーンパターンに基づいて、無認可または共有スペクトル中で動作されているＷＬＡＮまたはＷＷＡＮによって引き起こされた干渉を検出するように構成され得る。いくつかの例において、少なくとも１つのＵＥ１１５にヌルトーンパターンを送信することは、ヌルトーン密度（すなわち、Ｋ＝１）に基づいて、ヌルトーンパターンが、全てのＲＢに割り当てられているかを決定すること、およびヌルトーンパターンが、少なくともいくつかのＲＢに割り当てられていないことを決定次第、ＵＥ１１５に送信するためのシステム情報ブロック（ＳＩＢ）をスケジューリングすることを備え得る。いくつかの例において、少なくとも１つのＵＥ１１５にヌルトーンパターンを送信することは、少なくとも１つのヌルトーンを含む、１以上のサブフレームを識別することと、１以上の識別されたサブフレームをＵＥ１１５にシグナリングすることを備え得る。よって、いくつかの例において、基地局１０５は、ヌルトーンが、全てのサブフレーム中に存在するか、または識別されたサブフレーム中のみに存在するかを識別することによって、ＵＥ１１５にサブフレーム構成をシグナリングし得る。
【００５２】
[0061]追加的に、または代替的に、基地局管理コンポーネント３０５は、基地局１０５が、ヌルトーンパターンを生成するように構成するための構成コンポーネント３４０を含み得る。いくつかの例において、構成コンポーネント３４０は、無認可または共有スペクトルにおける、ＷＬＡＮまたはＷＷＡＮノードからの干渉の検出に基づいて、ヌルトーンパターン生成を活性化、および／または非活性化し得る。いくつかの態様において、構成コンポーネント３４０は、検出された干渉が、しきい値を満たすかを決定し得る。無認可または共有スペクトル上で検出された干渉が、しきい値より上であると、構成コンポーネント３４０が決定した場合、ＷＬＡＮおよび／またはＷＷＡＮノードによって引き起こされた干渉を検出し推定することを、ＵＥ１１５に許容するために、構成コンポーネント３４０は、ヌルトーンパターン生成を活性化し得る。代替的に、検出された干渉が、しきい値より低い場合、構成コンポーネント３４０は、ヌルトーンパターン生成を非活性化し得る。
【００５３】
[0062]さらなる例において、構成コンポーネント３４０は、少なくとも１つの同期信号（例えば、ＰＳＳ／ＳＳＳ）が、ヌルトーンパターンをパンクチャすることを許容し得る。他の例において、構成コンポーネント３４０は、ヌルトーンパターンの周りの、エンハンスド物理ダウンリンク制御チャネル（ｅＰＤＣＣＨ）または物理ダウンリンク共有チャネル（ＰＤＳＣＨ）のうちの少なくとも１つに、速度のマッチングをし得る。いくつかの態様において、構成コンポーネント３４０は、少なくとも１つのサブフレーム中のｅＰＤＣＣＨまたはＰＤＳＣＨのうちの少なくとも１つを、さらにパンクチャし得る。
【００５４】
[0063]いくつかの例において、基地局管理コンポーネント３０５およびサブコンポーネントの各々は、ハードウェア、ファームウェア、および／またはソフトウェアを備え得、メモリ（例えば、コンピュータ可読記憶媒体）中に記憶されたコードを遂行または命令を実行するように構成され得る。さらにまた、ある態様において、基地局１０５はまた、無線送信を受信するおよび送信する、例えば、ＵＥ１１５によって送信されるワイヤレス通信（例えば、通信２２および２４）を受信するおよび送信するための、ＲＦフロントエンド６１およびトランシーバ７４を含み得る。例えば、トランシーバ７４は、ＵＥ１１５によって送信されたパケットを受信し得る。基地局１０５は、全体のメッセージを受信次第、メッセージを復号し得、パケットが正しく受信されたかを決定するために、巡回冗長度チェック（ＣＲＣ）を実行し得る。例えば、トランシーバ７４は、基地局管理コンポーネント３０５によって生成されたメッセージを送信するために、およびメッセージを受信し、基地局管理コンポーネント３０５に転送するために、モデム１０９と通信し得る。
【００５５】
[0064]ＲＦフロントエンド６１は、１以上のアンテナ７３に接続され得、アップリンクチャネルおよびダウンリンクチャネル上のＲＦ信号を送信および受信するために、１以上のスイッチ６８、１以上の増幅器（例えば、電力増幅器（ＰＡ）６９および／または低ノイズ増幅器７０）、および１以上のフィルタ７１を含むことができる。ある態様において、ＲＦフロントエンド６１のコンポーネントは、トランシーバ６５と接続できる。トランシーバ６５は、１以上のモデム１０８およびプロセッサ２０に接続し得る。
【００５６】
[0065]トランシーバ７４は、ＲＦフロントエンド６１を介してアンテナ７３を通してワイヤレス信号を、（例えば、送信機無線７５を介して）送信、（例えば、受信機無線７６を介して）受信、するように構成され得る。ある態様において、トランシーバ７４は、基地局１０５が、例えば、ＵＥ１１５と通信できるように、特定の周波数において動作するように調整され得る。ある態様において、例えば、モデム１０９は、基地局１０５の基地局構成とトランシーバ７４に基づいて、特定の周波数および電力レベルにおいて動作するようにモデムによって使用される通信プロトコルを構成できる。
【００５７】
[0066]基地局１０５は、本明細書において使用されるデータ、および／またはアプリケーションのローカル版を記憶するようなメモリ４５、あるいは、プロセッサ２１によって実行される、基地局管理コンポーネント３０５および／または基地局管理コンポーネント３０５のサブコンポーネントのうちの１以上をさらに含み得る。メモリ４５は、ランダムアクセスメモリ（ＲＡＭ）、読み出し専用メモリ（ＲＯＭ）、テープ、磁気ディスク、光ディスク、揮発性メモリ、不揮発性メモリ、およびそれらの任意の組み合わせのような、コンピュータまたはプロセッサ２１によって使用可能な任意のタイプのコンピュータ可読媒体を含むことができる。ある態様において、例えば、メモリ４５は、基地局管理コンポーネント３０５および／または、それのサブコンポーネントのうちの１以上を定義する、１以上のコンピュータ実行可能なコードを記憶するコンピュータ可読記憶媒体であり得る。追加的に、または代替的に、基地局１０５は、ＲＦフロントエンド６１、送信機無線７５、メモリ４５およびプロセッサ２１を結合して、基地局１０５のコンポーネントおよび／またはサブコンポーネントの各々間でシグナリング情報を交換するためのバス１２を含み得る。
【００５８】
[0067]図４を参照しながら、ある態様において、ワイヤレス通信システム４００は、少なくとも１つの基地局１０５の通信カバレッジにおける少なくとも１つのＵＥ１１５を含む。ワイヤレス通信システム４００は、図１に関連して説明されたワイヤレス通信システム１００の例であり得る。いくつかの例において、ＵＥ１１５および／または基地局１０５は、図１および図３に関連して説明されたＵＥ１１５および基地局１０５の例であり得る。
【００５９】
[0068]ある態様において、ＵＥ１１５は、本開示において表された機能、方法論（例えば、図６の方法６００）、または方法を実行するためにＵＥ管理コンポーネント４１０と協同して動作し得る、１以上のプロセッサ２０を含み得る。本開示に従って、ＵＥ管理コンポーネント４１０は、無認可または共有スペクトルを通して、共通サーチ空間中で、基地局１０５から受信されたブロードキャスト情報をＵＥ１１５において復号するための復号コンポーネント３４５を含み得る。１以上のプロセッサ２０は、１以上のモデムプロセッサを使用するモデム１０８を含み得る。ＵＥ管理コンポーネント４１０に関係する様々な機能は、モデム１０８および／またはプロセッサ２０中に含まれ得、ある態様において、単一プロセッサによって実行されることができ、一方、他の態様において、機能の異なるものは、２以上の異なるプロセッサの組み合わせによって実行され得る。例えば、ある態様において、１以上のプロセッサ２０は、モデムプロセッサ、またはベースバンドプロセッサ、またはデジタル信号プロセッサ、または送信プロセッサ、またはトランシーバ７４に関連付けられたトランシーバプロセッサ、またはシステムオンチップ（ＳｏＣ）のうちの何れか１つ、または任意の組み合わせを含み得る。特に、１以上のプロセッサ２０は、ＵＥ管理コンポーネント４１０中に含まれる機能およびコンポーネントを実行し得る。
【００６０】
[0069]１以上の態様において、ＵＥ管理コンポーネント４１０は、無認可または共有スペクトルを通して、共通サーチ空間中で、基地局１０５から受信されたブロードキャスト情報をＵＥ１１５において復号するための復号コンポーネント４４５を含み得る。ブロードキャスト情報を復号することに基づいて、ヌルトーンパターン識別コンポーネント４５０は、少なくとも１つのサブフレームに関連付けられたヌルトーンパターンを識別し得る。ヌルトーンパターンは、エンハンスド物理ダウンリンク制御チャネル（ｅＰＤＣＣＨ）または物理ダウンリンク共有チャネル（ＰＤＳＣＨ）のうちの少なくとも１つをパンクチャすることに基づいて、識別され得る。いくつかの例において、ヌルトーンパターン識別コンポーネント４５０は、基地局１０５によって送信されたヌルトーンパターンに基づいて、無認可または共有スペクトル上でＷＬＡＮまたはＷＷＡＮによって引き起こされた干渉を検出するように構成され得る。
【００６１】
[0070]ヌルトーンパターン識別コンポーネント４５０はまた、ＵＥ１１５のメモリ中に、基地局１０５に関連付けられた、セルＩＤおよび対応するヌルトーンパターンを記憶するための、パターン記憶コンポーネント４５５を含み得る。よって、いくつかの例において、パターン記憶コンポーネント４５５は、再捕捉プロシージャ（例えば、ＵＥ１１５が基地局１０５のカバレッジエリアに再び入る）の最中に捕捉速度を増加するために、メモリ中に、対応するヌルトーン構成を有する、訪問されるセルのＩＤのセットを記憶し得る。従って、再捕捉コンポーネント４６０は、再捕捉の最中に、パンクチャが実行されていないとの仮定に基づいて、情報（例えば、ｅＰＤＣＣＨ／ＳＩＢ）の復号を、最初に試み得、不成功である場合、基地局セルＩＤを識別し、基地局セルＩＤに関連付けられた、対応するヌルトーンパターンが、メモリ中に記憶されていると決定する。その後、再捕捉コンポーネント４６０は、捕捉速度を増加するために、対応するヌルトーンパターンを復号し得る。よって、いくつかの例において、ＵＥ１１５は、基地局１０５によって送信されたヌルトーンパターンの識別に基づいて、無認可または共有スペクトルを通して、基地局１０５との通信を確立するために、通信コンポーネント４６５を利用し得る。
【００６２】
[0071]いくつかの例において、ＵＥ管理コンポーネント４１０およびサブコンポーネントの各々は、ハードウェア、ファームウェア、および／またはソフトウェアを備え得、メモリ（例えば、コンピュータ可読記憶媒体）中に記憶されたコードを実行または命令を実行するように構成され得る。さらにまた、ある態様において、ＵＥ１１５は、無線送信、例えば、基地局１０５によって送信されるワイヤレス通信（例えば、通信２２および２４）を受信および送信するための、ＲＦフロントエンド６１およびトランシーバ７４を含み得る。例えば、トランシーバ７４は、基地局１０５によって送信されたパケットを受信し得る。ＵＥ１１５は、全体のメッセージを受信次第、メッセージを復号し得、パケットが正しく受信されたかを決定するために、巡回冗長度チェック（ＣＲＣ）を実行し得る。例えば、トランシーバ７４は、ＵＥ管理コンポーネント４１０によって生成されたメッセージを送信するために、およびメッセージを受信し、ＵＥ管理コンポーネント４１０に転送するために、モデム１０８と通信し得る。
【００６３】
[0072]ＲＦフロントエンド６１は、１以上のアンテナ７３に接続され得、アップリンクチャネルおよびダウンリンクチャネル上でＲＦ信号を送信および受信するために、１以上のスイッチ６８、１以上の増幅器（例えば、電力増幅器（ＰＡ）６９および／または低ノイズ増幅器７０）、および１以上のフィルタ７１を含むことができる。ある態様において、ＲＦフロントエンド６１のコンポーネントは、トランシーバ７４と接続できる。トランシーバ７４は、１以上のモデム１０８およびプロセッサ２０に接続し得る。
【００６４】
[0073]トランシーバ７４は、ＲＦフロントエンド６１を介してアンテナ７３を通して、ワイヤレス信号を、（例えば、送信機無線７５を介して）送信、および（例えば、受信機無線７６を介して）受信するように構成され得る。ある態様において、トランシーバは、基地局１０５が、例えば、ＵＥ１１５と通信できるように、特定の周波数において動作するように調整され得る。ある態様において、例えば、モデム１０８は、ＵＥ１１５のＵＥ構成とトランシーバ７４に基づいて、特定の周波数および電力レベルにおいて動作するようにモデムによって使用される通信プロトコルを構成できる。
【００６５】
[0074]ＵＥ１１５は、本明細書において使用されるデータ、および／またはアプリケーションのローカル版を記憶するようなメモリ４４、あるいは、プロセッサ２０によって実行される、ＵＥ管理コンポーネント４１０および／またはＵＥ管理コンポーネント４１０のサブコンポーネントのうちの１以上をさらに含み得る。メモリ４４は、ランダムアクセスメモリ（ＲＡＭ）、読み出し専用メモリ（ＲＯＭ）、テープ、磁気ディスク、光ディスク、揮発性メモリ、不揮発性メモリ、およびそれらの任意の組み合わせような、コンピュータまたはプロセッサ２０によって使用可能な任意のタイプのコンピュータ可読媒体を含むことができる。ある態様において、例えば、メモリ４４は、波形生成コンポーネント３０５および／または、それのサブコンポーネントのうちの１以上
を定義する、１以上のコンピュータ実行可能なコードを記憶するコンピュータ可読記憶媒体であり得る。追加的に、または代替的に、ＵＥ１１５は、ＲＦフロントエンド６１、トランシーバ７４、メモリ４４およびプロセッサ２０を結合して、ＵＥ１１５のコンポーネントおよび／またはサブコンポーネントの各々間でシグナリング情報を交換するためのバス１１を含み得る。
【００６６】
[0075]図５は、本開示の様々な態様に従って、ワイヤレス通信のための方法５００の例を例示するフローチャートである。明確性のために、方法５００は、例えば、図１および図３において説明される基地局１０５に関連して、以下に説明される。
【００６７】
[0076]ブロック５０５において、方法５００は、ＷＬＡＮまたはＷＷＡＮ信号からの干渉を選択的に検出し、干渉信号が、しきい値を満たすかを決定し得る。ブロック５０５の態様は、図３に関連して説明された構成コンポーネント３４０によって実行され得る。追加的に、または代替的に、ブロック５０５は、メモリ４５中、基地局管理コンポーネント３０５中、および／または構成コンポーネント３４０中の命令で、プロセッサ２１によって実行され得る。構成コンポーネント３４０は、無認可または共有スペクトルにおけるＷＬＡＮまたはＷＷＡＮノードからの干渉の検出に基づいて、ヌルトーンパターン生成を活性化および／または非活性化し得る。いくつかの態様において、構成コンポーネント３４０は、検出された干渉がしきい値を満たすかを決定し得る。
【００６８】
[0077]ブロック５１０において、方法５００は、ＷＬＡＮおよび／またはＷＷＡＮノードによって引き起こされた干渉を検出し推定することをＵＥ１１５に許容するために、無認可または共有スペクトル上で検出された干渉が、しきい値より上であると決定し得、従って、ヌルトーンパターン生成を活性化する。代替的に、検出された干渉が、しきい値より下である場合、構成コンポーネント３４０は、ヌルトーンパターン生成を非活性化し得る。追加的に、または代替的に、ブロック５１０は、メモリ４５中、基地局管理コンポーネント３０５中および／または構成コンポーネント３４０中の命令で、プロセッサ２１によって実行され得る。
【００６９】
[0078]ブロック５１５において、方法５００は、少なくとも１つのサブフレームに対するヌルトーン密度を決定し得る。ブロック５１５の態様は、図３に関連して説明されたトーン密度コンポーネント３１５によって実行され得る。追加的に、または代替的に、ブロック５１５は、メモリ４５中、基地局管理コンポーネント３０５中、および／またはトーン密度コンポーネント３１５中の命令で、プロセッサ２１によって実行され得る。いくつかの例において、少なくとも１つのサブフレームに対するヌルトーン密度を決定することは、少なくとも１つのサブフレームに関連付けられた少なくとも１つの直交ＯＦＤＭシンボル上の、ワイヤレスローカルエリアネットワーク（ＷＬＡＮ）信号および／またはワイヤレスワイドエリアネットワーク（ＷＷＡＮ）信号からの干渉を検出することに応答し得る。よって、上記で論じられたように、トーン密度コンポーネント３１５は、ヌルトーンを備え得るリソースブロックの数を決定し得る。例えば、トーン密度コンポーネント３１５は、ヌルトーンが、Ｋ個のリソースブロック中に存在するであろうことを決定し得、ここで、Ｋは整数（例えば、Ｋ＝１、２、３、４、等）であり得る。ヌルトーン密度は、無認可または共有スペクトル上で経験される干渉のタイプを識別することに基づき得る。例えば、干渉のタイプが狭帯域干渉を含む場合、トーン密度コンポーネント３１５は、全てのリソースブロックにおけるヌルトーンを表わす高トーン密度（例えば、Ｋ＝１）を選択し得る。反対に、干渉のタイプが広帯域干渉を含む場合、トーン密度コンポーネント３１５は、低密度（例えば、Ｋ＝４）を選択し得、ここで、ヌルトーンは、４つ毎のリソースブロックに存在し得る。従って、トーン密度コンポーネント３１５は、無認可または共有スペクトル上で経験される干渉のタイプ（例えば、狭帯域および／または広帯域）に基づいて、トーン密度をダイナミックに選択し得る。
【００７０】
[0079]ブロック５２０において、方法５００は、ヌルトーン密度に基づいて、少なくとも１つのサブフレームに対するヌルトーンパターンを生成し得る。ヌルトーンパターンは、各リソースブロックにおける、少なくとも連続したシンボル中のヌルトーンを備え得る。ブロック５２０の態様は、図３に関連して説明されたパターン生成コンポーネント３２０によって実行され得る。追加的に、または代替的に、ブロック５２０は、メモリ４５中、基地局管理コンポーネント３０５中および／またはパターン生成コンポーネント３２０中の命令で、プロセッサ２１によって実行され得る。
【００７１】
[0080]ブロック５２５において、方法５００は、ヌルトーンパターンを、無認可または共有スペクトルを通して、少なくとも１つのＵＥに送信することを含み得る。いくつかの態様において、ＵＥは、ヌルトーンパターンに基づいて、無認可または共有スペクトルにおけるＷＬＡＮまたはＷＷＡＮ動作によって引き起こされた干渉を検出するように構成され得る。ブロック５２５の態様は、図３に関連して説明されたシグナリングコンポーネント３３５によって実行され得る。
【００７２】
[0081]いくつかの態様において、方法５００における１以上のブロック（５０５−５２５）は、対応する手段によって実行され得る。例えば、方法５００のブロックは、メモリ４５中、基地局管理コンポーネント３０５中、および／または基地局管理コンポーネント３０５の１以上のサブコンポーネント中の命令で、プロセッサ２１の手段によって実行され得る。
【００７３】
[0082]図６は、本開示の態様に従うワイヤレス通信の方法６００の例を、概念的に例証するフローチャートである。明確性のために、方法６００は、例えば、図１および図４において説明されるＵＥ１１５に関連して、以下に説明される。
【００７４】
[0083]ブロック６０５において、方法６００は、無認可または共有スペクトルを通して、共通サーチ空間中で、基地局１０５から受信されたブロードキャスト情報を復号することを含み得る。ブロック６０５の態様は、図４に関連して説明された復号コンポーネント４４５によって実行され得る。追加的に、または代替的に、ブロック６０５は、メモリ４４中、ＵＥ管理コンポーネント４１０中、および／または復号コンポーネント４４５中の命令で、プロセッサ２０によって実行され得る。
【００７５】
[0084]ブロック６１０において、方法６００は、ブロードキャスト情報に基づいて、少なくとも１つのサブフレームに関連付けられたヌルトーンパターンを識別し得、ここにおいて、ヌルトーンパターンは、物理ダウンリンク制御チャネル（ＰＤＣＣＨ）または物理ダウンリンク共有チャネル（ＰＤＳＣＨ）のうちの少なくとも１つのパンクチャに基づいて、識別され、ここにおいて、ヌルトーンパターンは、無認可または共有スペクトル上でＷＬＡＮまたはＷＷＡＮノードによって引き起こされた干渉を検出するように構成される。ブロック６１０の態様は、ヌルトーンパターン識別コンポーネント４５０によって、実行され得る。追加的に、または代替的に、ブロック６１０は、メモリ４４中、ＵＥ管理コンポーネント４１０中、および／またはヌルトーンパターン識別コンポーネント４５０中の命令で、プロセッサ２０によって実行され得る。
【００７６】
[0085]ブロック６１５において、方法６００は、ヌルトーンパターンを識別することに基づいて、無認可または共有スペクトルを通して、基地局１０５とさらに通信し得る。ブロック６１５の態様は、図４に関連して説明された通信コンポーネント４６５によって実行され得る。追加的に、または代替的に、ブロック６１５は、メモリ４４中、ＵＥ管理コンポーネント４１０中、および／または通信コンポーネント４６５中の命令で、プロセッサ２０によって実行され得る。
【００７７】
[0086]ブロック６２０において、方法６００は、基地局１０５に関連付けられたセルＩＤおよび対応するヌルトーンパターンを、選択的に、メモリ中にさらに記憶し得る。ブロック６２０の態様は、図４に関連して説明されたパターン記憶コンポーネント４５５によって実行され得る。よって、いくつかの例において、パターン記憶コンポーネント３５５は、再捕捉プロシージャ（例えば、ＵＥ１１５が、基地局１０５のカバーエリアに再び入る）の最中に捕捉速度を増加するために、対応するヌルトーン構成を有する訪問されたセルＩＤのセットを、メモリ中に記憶し得る。
【００７８】
[0087]ブロック６２５において、方法６００は、再捕捉の最中に、基地局セルＩＤに関連付けられた対応するヌルトーンパターンが、メモリ中に記憶され、対応するヌルトーンパターンを復号することを選択的に決定し得る。ブロック６２５の態様は、図４に関連して説明された再捕捉コンポーネント４６０によって実行され得る。追加的に、または代替的に、ブロック６１０は、メモリ４４中、ＵＥ管理コンポーネント４１０中、および／または再捕捉コンポーネント４６０中の命令で、プロセッサ２０によって実行され得る。
【００７９】
[0088]添付された図面に関連して上述された詳細な説明は、例となる実施形態を説明しており、実装され得るまたは特許請求の範囲内にある全ての実施形態を表してはいない。用語「例示的な」は、本説明に使用されるとき、「好ましい」または「他の実施形態よりも有利である」ということではなく、「例、事例、または例証としての役割をすること」を意味する。詳細な説明は、説明された技法の理解を提供する目的で具体的な詳細を含む。しかしながら、これらの技法は、これらの具体的な詳細なしに実現され得る。いくつかの事例において、周知の構造およびデバイスは、説明された実施形態の概念を曖昧にすることを回避するためにブロック図の形態で指し示される。
【００８０】
[0089]情報および信号は、種々の異なる技術および技法のうちの任意のものを使用して表わされ得る。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【００８１】
[0090]本明細書における開示に関連して説明された様々な例証的なブロックおよびコンポーネントは、汎用プロセッサ、デジタルシグナルプロセッサ（ＤＳＰ）、ＡＳＩＣ、ＦＰＧＡまたは他のプログラマブルロジックデバイス、ディスクリートゲートまたはトランジスタロジック、ディスクリートハードウェアコンポーネント、あるいは本明細書で説明された機能を遂行するように設計されたそれらの任意の組み合わせを用いて実装または遂行され得る。汎用プロセッサは、マイクロプロセッサであり得るが、代替では、プロセッサは、任意の従来のプロセッサ、コントローラ、マイクロコントローラ、または状態機械であり得る。プロセッサはまた、コンピューティングデバイスの組み合わせ（例えば、ＤＳＰおよびマイクロプロセッサの組み合わせ、複数のマイクロプロセッサ、ＤＳＰコアと連携した１以上のマイクロプロセッサ、あるいは任意の他のそのような構成）として実装され得る。
【００８２】
[0091]本明細書で説明された機能は、ハードウェア、プロセッサによって実行されるソフトウェア、ファームウェア、またはそれらの任意の組み合わせで実装され得る。プロセッサによって実行されるソフトウェアで実装される場合、機能は、コンピュータ可読媒体上の１以上の命令またはコードとして記憶または送信され得る。他の例および実装は、本開示および添付の特許請求の範囲内にある。例えば、ソフトウェアの本質により、上記で説明された機能は、プロセッサによって実行されるソフトウェア、ハードウェア、ファームウェア、ハードワイヤリング、またはこれらの任意の組み合わせを使用して実装されることができる。機能を実装する特徴はまた、機能の一部分が異なる物理的ロケーションにおいて実装されるように分散されることを含めて、様々な位置に物理的にロケートされ得る。また、特許請求の範囲を含めて、本明細書で使用されるように、項目のリスト（例えば、「のうちの少なくとも１つ」または「のうちの１以上の」のようなフレーズで始まる項目のリスト）中で使用される「または」は、例えば、［Ａ、Ｂ、またはＣのうちの少なくとも１つ］のリストが、Ａ、Ｂ、Ｃ、ＡとＢ、ＡとＣ、ＢとＣ、ＡとＢとＣ（すなわち、Ａ、Ｂ、およびＣ）を意味するような、包含的なリストを示す。
【００８３】
[0092]コンピュータ可読媒体は、ある箇所から別の箇所へのコンピュータプログラム移送を容易にする任意の媒体を含む、通信媒体およびコンピュータ記憶媒体の両方を含む。記憶媒体は、汎用または特殊用途コンピュータによってアクセスされることができる任意の利用可能な媒体であり得る。限定ではなく例として、コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用されることができ、汎用または特殊用途コンピュータ、もしくは汎用または特殊用途プロセッサによってアクセスされることができる任意の他の媒体を備えることができる。また、任意の接続は、適切にコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合には、この同軸ケーブル、光ファイバーケーブル、ツイストペア、ＤＳＬ、または赤外線、無線、およびマイクロ波のようなワイヤレス技術は、媒体の定義に含まれる。ディスク（ｄｉｓｋ）およびディスク（ｄｉｓｃ）は、本明細書で使用される場合、ＣＤ（ｄｉｓｃ）、レーザーディスク（登録商標）（ｄｉｓｃ）、光ディスク（ｄｉｓｃ）、デジタル多用途ディスク（ＤＶＤ）（ｄｉｓｃ）、フロッピー（登録商標）ディスク（ｄｉｓｋ）およびＢｌｕ−ｒａｙ（登録商標）ディスク（ｄｉｓｃ）を含み、ここで、ディスク（ｄｉｓｋ）は通常、磁気的にデータを再生し、その一方でディスク（ｄｉｓｃ）は、レーザーを用いて光学的にデータを再生する。上記の組合せはまた、コンピュータ可読媒体の範囲内に含まれる。
【００８４】
[0093]本開示の以上の説明は、当業者が本開示を作りまたは使用することを可能にするために提供される。本開示に対する様々な修正は、当業者には容易に明らかであり、本明細書で定義された包括的な原理は、本開示の適用範囲から逸脱することなく他の変形に適用され得る。よって、本開示は、本明細書に記載された例および設計に制限されることを意図せず、本明細書に開示された原理および新規な特徴に合致する最も広い適用範囲が与えられるべきである。
【００８５】
[0094]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような、様々なワイヤレス通信システムに対して使用され得る。用語「システム」および「ネットワーク」は、しばしば交換可能に使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００、ＩＳ−９５およびＩＳ−８５６規格をカバーする。ＩＳ−２０００リリース０およびＡは一般に、ＣＤＭＡ２０００  １Ｘ、１Ｘ、等と呼ばれる。ＩＳ−８５６（ＴＩＡ−８５６）は、一般的に、ＣＤＭＡ２０００  １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバルシステム（ＧＳＭ（登録商標））のような無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ等の無線技術を実装し得る。ＵＴＲＡおよびＥ−ＵＴＲＡは、ユニバーサルモバイルテレコミュニケ―ションシステム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するユニバーサルモバイル電気通信システム（ＵＭＴＳ）の新リリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）（登録商標）という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明されている技法は、上述されたシステムおよび無線技術と、ならびに他のシステムおよび無線技術にも使用され得る。上記の説明は、しかしながら、実例を目的としてＬＴＥシステムを説明しており、ＬＴＥの専門用語が上記の説明の大部分中で使用されているが、本技法は、ＬＴＥアプリケーションを超えて適用可能である。
以下に、本願出願の当初の特許請求の範囲に記載された発明を付記する。
［１］  ワイヤレス通信のための方法であって、
少なくとも１つのサブフレームに対するヌルトーン密度を決定することと、
前記ヌルトーン密度に基づいて、前記少なくとも１つのサブフレームに対するヌルトーンパターンを生成することと、
前記ヌルトーンパターンを送信することとを備える、方法。
［２］  前記ヌルトーンパターンは、各リソースブロックにおける、少なくとも連続したシンボル中のヌルトーンを備える、［１］に記載の方法。
［３］  前記ヌルトーンパターンを送信することは、少なくとも１つのユーザ機器（ＵＥ）に、前記ヌルトーンパターンを送信することを備える、［１］に記載の方法。
［４］  前記ヌルトーンパターンを送信することは、無認可または共有スペクトルを通して、前記ヌルトーンパターンを送信することを備える、［１］に記載の方法。
［５］  前記ＵＥは、前記ヌルトーンパターンに基づいて、無認可または共有スペクトルにおいて動作されているワイヤレスローカルエリアネットワーク（ＷＬＡＮ）またはワイヤレスワイドエリアネットワーク（ＷＷＡＮ）によって引き起こされた干渉を検出するように構成されている、［１］に記載の方法。
［６］  前記少なくとも１つのサブフレームに対する前記ヌルトーンパターンを生成することは、
前記少なくとも１つのサブフレームに関連付けられた復調基準信号（ＤＭＲＳ）トーンを識別することと、
前記ＤＭＲＳトーンとの衝突を回避するように、前記少なくとも１つのヌルトーンをマッピングすることとを備える、［１］に記載の方法。
［７］  前記少なくとも１つのサブフレームに対する前記ヌルトーンパターンを生成することは、
前記少なくとも１つのサブフレームに関連付けられたセル特有基準信号（ＣＲＳ）トーンを識別することと、
ＣＲＳによって、前記ヌルトーンパターンをパンクチャすることとを備える、［１］に記載の方法。
［８］  少なくとも１つのサブフレームに対する前記ヌルトーンパターンを生成することは、前記ヌルトーンパターンに垂直シフトを適用することによって、リソースブロックに対する前記ヌルトーンパターンを修正することを備える、［１］に記載の方法。
［９］  少なくとも１つのサブフレームに対する前記ヌルトーンパターンを生成することは、
前記少なくとも１つのサブフレームに関連付けられた同期信号を識別することと、ここにおいて、前記同期信号は、一次同期信号（ＰＳＳ）および二次同期信号（ＳＳＳ）のうちの少なくとも１つであり、
ＰＳＳおよびＳＳＳのうちの１つによって、前記ヌルトーンパターンをパンクチャすることとを備える、［１］に記載の方法。
［１０］  前記ヌルトーンパターンを、前記少なくとも１つのＵＥに送信することは、
少なくとも１つのヌルトーンを含む１以上のサブフレームを識別することと、
前記ＵＥに、前記１以上の識別されたサブフレームをシグナリングすることとを備える、［１］に記載の方法。
［１１］  前記ヌルトーンパターンを、前記少なくとも１つのＵＥに送信することは、
前記ヌルトーン密度に基づいて、前記ヌルトーンパターンが、全てのリソースブロックに割り当てられているかを決定することと、
前記ヌルトーンパターンが、全てのリソースブロックに割り当てられていないことを決定次第、システム情報ブロック（ＳＩＢ）をスケジューリングすることと、ここにおいて、前記スケジューリングすることは、ヌルトーン送信が存在しない、前記リソースブロックにおいて、前記ＳＩＢを送信することを備え、を備える、［１］に記載の方法。
［１２］  前記少なくとも１つのサブフレームに対する前記ヌルトーン密度を決定し、前記ヌルトーンパターンを生成することは、前記少なくとも１つのサブフレームに関連付けられた、少なくとも１つの直交周波数分割多重（ＯＦＤＭ）シンボル上のワイヤレスローカルエリアネットワーク（ＷＬＡＮ）信号からの干渉を検出することに応答している、［１］に記載の方法。
［１３］  前記ＷＬＡＮ信号からの前記干渉を検出することに基づいて、前記ヌルトーンパターン生成を活性化することをさらに備える、［１２］に記載の方法。
［１４］  少なくとも１つの同期信号が、前記ヌルトーンパターンをパンクチャすることを許容することをさらに備える、［１］に記載の方法。
［１５］  前記ヌルトーンパターンの周りのエンハンスド物理ダウンリンク制御チャネル（ｅＰＤＣＣＨ）または物理ダウンリンク共有チャネル（ＰＤＳＣＨ）のうちの少なくとも１つに、速度マッチングをすることをさらに備える、［１］に記載の方法。
［１６］  前記ヌルトーンパターンを、地上公衆移動体ネットワークに関連付けられた１以上の基地局に対するのと同一であるように構成することをさらに備える、［１］に記載の方法。
［１７］  前記少なくとも１つのサブフレームにおけるエンハンスド物理ダウンリンク制御チャネル（ｅＰＤＣＣＨ）または物理ダウンリンク共有チャネル（ＰＤＳＣＨ）のうちの少なくとも１つをパンクチャすることをさらに備える、［１］に記載の方法。
［１８］  ワイヤレス通信のための装置であって、
少なくとも１つのサブフレームに対するヌルトーン密度を決定するための手段と、
前記ヌルトーン密度に基づいて、前記少なくとも１つのサブフレームに対するヌルトーンパターンを生成するための手段と、
前記ヌルトーンパターンを送信するための手段とを備える、装置。
［１９］  前記ヌルトーンパターンは、各リソースブロックにおける、少なくとも連続したシンボル中のヌルトーンを備える、［１８］に記載の装置。
［２０］  前記少なくとも１つのサブフレームに対する前記ヌルトーンパターンを生成するための手段は、
前記少なくとも１つのサブフレームに関連付けられた復調基準信号（ＤＭＲＳ）トーンを識別するための手段と、
前記ＤＭＲＳトーンとの衝突を回避するように、前記少なくとも１つのヌルトーンをマッピングするための手段とを備える、［１８］に記載の装置。
［２１］  前記少なくとも１つのサブフレームに対する前記ヌルトーンパターンを生成するための手段は、
前記少なくとも１つのサブフレームに関連付けられたセル特有基準信号（ＣＲＳ）トーンを識別するための手段と、
ＣＲＳによって、前記ヌルトーンパターンをパンクチャするための手段とを備える、［１８］に記載の装置。
［２２］  少なくとも１つのサブフレームに対する前記ヌルトーンパターンを生成するための手段は、
前記ヌルトーンパターンに垂直シフトを適用することによって、リソースブロックに対する前記ヌルトーンパターンを修正するための手段を備える、［１８］に記載の装置。
［２３］  少なくとも１つのサブフレームに対する前記ヌルトーンパターンを生成するための手段は、
前記少なくとも１つのサブフレームに関連付けられた同期信号を識別するための手段と、ここにおいて、前記同期信号は、一次同期信号（ＰＳＳ）および二次同期信号（ＳＳＳ）のうちの少なくとも１つであり、
ＰＳＳおよびＳＳＳのうちの１つによって、前記ヌルトーンパターンをパンクチャするための手段とを備える、［１８］に記載の装置。
［２４］  ワイヤレス通信のためのコードを記憶するコンピュータ可読媒体であって、前記コードは、
少なくとも１つのサブフレームに対するヌルトーン密度を決定し、
前記ヌルトーン密度に基づいて、前記少なくとも１つのサブフレームに対するヌルトーンパターンを生成し、
前記ヌルトーンパターンを送信することを実行可能な命令を備える、コンピュータ可読媒体。
［２５］  前記ヌルトーンパターンは、各リソースブロックにおける、少なくとも連続したシンボル中のヌルトーンを備える、［２４］に記載のコンピュータ可読媒体。
［２６］  前記少なくとも１つのサブフレームに対する前記ヌルトーンパターンを生成することを実行可能な前記命令は、
前記少なくとも１つのサブフレームに関連付けられた復調基準信号（ＤＭＲＳ）トーンを識別し、
前記ＤＭＲＳトーンとの衝突を回避するように、前記少なくとも１つのヌルトーンをマッピングすることを実行可能な命令をさらに備える、［２４］に記載のコンピュータ可読媒体。
［２７］  前記少なくとも１つのサブフレームに対する前記ヌルトーンパターンを生成するための前記命令は、
前記少なくとも１つのサブフレームに関連付けられたセル特有基準信号（ＣＲＳ）トーンを識別し、
ＣＲＳによって、前記ヌルトーンパターンをパンクチャすることを実行可能な命令をさらに備える、［２４］に記載のコンピュータ可読媒体。
［２８］  前記少なくとも１つのサブフレームに対する前記ヌルトーンパターンを生成するための前記命令は、前記ヌルトーンパターンに垂直シフトを適用することによって、リソースブロックに対する前記ヌルトーンパターンを修正することを実行可能な命令をさらに備える、［２４］に記載のコンピュータ可読媒体。
［２９］  ワイヤレス通信のための装置であって、
プロセッサと、
前記プロセッサに結合されたメモリとを備え、
前記メモリは、前記プロセッサによって、
少なくとも１つのサブフレームに対するヌルトーン密度を決定し、
前記ヌルトーン密度に基づいて、前記少なくとも１つのサブフレームに対するヌルトーンパターンを生成し、
前記ヌルトーンパターンを送信することを実行可能な命令を含んでいる、装置。
［３０］  ワイヤレス通信のための方法であって、
ユーザ機器（ＵＥ）において、ブロードキャスト情報を復号することと、
前記ブロードキャスト情報に基づいて、少なくとも１つのサブフレームに関連付けられたヌルトーンパターンを識別することと、
前記ヌルトーンパターンを識別することに基づいて、基地局と通信することとを備える、方法。
［３１］  前記ブロードキャスト情報は、無認可または共有スペクトルを通して、共通サーチ空間中で、基地局から受信される、［３０］に記載の方法。
［３２］  前記ヌルトーンパターンは、物理ダウンリンク制御チャネル（ＰＤＣＣＨ）またはエンハンスドＰＤＣＣＨ（ＥＰＤＣＣＨ）または物理ダウンリンク共有チャネル（ＰＤＳＣＨ）のうちの少なくとも１つをパンクチャすることに基づいて、識別される、［３０］に記載の方法。
［３３］  前記ＵＥは、前記ヌルトーンパターンに基づいて、無認可または共有スペクトル上で、ワイヤレスローカルエリアネットワーク（ＷＬＡＮ）またはワイヤレスワイドエリアネットワーク（ＷＷＡＮ）によって引き起こされた干渉を検出するように構成されている、［３０］に記載の方法。
［３４］  前記基地局との前記通信は、無認可または共有スペクトルを通して、行われる、［３０］に記載の方法。
［３５］  前記基地局に関連付けられた、セル識別（ＩＤ）および対応する前記ヌルトーンパターンを、メモリ中に記憶することをさらに備える、［３０］に記載の方法。
［３６］  再捕捉の最中に、基地局セルＩＤを識別することと、
前記基地局セルＩＤに関連付けられた、前記対応するヌルトーンパターンが、前記メモリ中に記憶されていることを決定することと、
前記対応するヌルトーンパターンに基づいて、チャネルを復号することとをさらに備える、［３５］に記載の方法。
［３７］  ワイヤレス通信のための装置であって、
ユーザ機器（ＵＥ）において、ブロードキャスト情報を復号するための手段と、
前記ブロードキャスト情報に基づいて、少なくとも１つのサブフレームに関連付けられたヌルトーンパターンを識別するための手段と、
前記ヌルトーンパターンを識別することに基づいて、基地局と通信するための手段とを備える、装置。
［３８］  前記ブロードキャスト情報は、共通サーチ空間中で、無認可または共有スペクトルを通して、基地局から受信される、［３７］に記載の装置。
［３９］  前記ヌルトーンパターンは、物理ダウンリンク制御チャネル（ＰＤＣＣＨ）またはエンハンスドＰＤＣＣＨ（ＥＰＤＣＣＨ）または物理ダウンリンク共有チャネル（ＰＤＳＣＨ）のうちの少なくとも１つをパンクチャするための手段に基づいて、識別される、［３７］に記載の装置。
［４０］  前記ＵＥは、前記ヌルトーンパターンに基づいて、無認可または共有スペクトル上で、ワイヤレスローカルエリアネットワーク（ＷＬＡＮ）またはワイヤレスワイドエリアネットワーク（ＷＷＡＮ）によって引き起こされた干渉を検出するように構成される、［３７］に記載の装置。
［４１］  前記基地局との前記通信は、無認可または共有スペクトルを通して、行われる、［３７］に記載の装置。
［４２］  前記基地局に関連付けられた、セル識別（ＩＤ）および対応する前記ヌルトーンパターンを、メモリ中に記憶するための手段をさらに備える、［３７］に記載の装置。
［４３］  再捕捉の最中に、基地局セルＩＤを識別するための手段と、
前記基地局セルＩＤに関連付けられた前記対応するヌルトーンパターンが、前記メモリ中に記憶されていることを決定するための手段と、
前記対応するヌルトーンパターンを復号するための手段とをさらに備える、［４２］に記載の装置。
［４４］  ワイヤレス通信のためのコードを記憶するコンピュータ可読媒体であって、前記コードは、
ユーザ機器（ＵＥ）において、ブロードキャスト情報を復号し、
前記ブロードキャスト情報に基づいて、少なくとも１つのサブフレームに関連付けられたヌルトーンパターンを識別し、
前記ヌルトーンパターンを識別することに基づいて、基地局と通信することを実行可能な命令を備える、コンピュータ可読媒体。
［４５］  前記ブロードキャスト情報は、共通サーチ空間中で、無認可または共有スペクトルを通して、基地局から受信される、［４４］に記載のコンピュータ可読媒体。
［４６］  前記ヌルトーンパターンは、物理ダウンリンク制御チャネル（ＰＤＣＣＨ）またはエンハンスドＰＤＣＣＨ（ＥＰＤＣＣＨ）または物理ダウンリンク共有チャネル（ＰＤＳＣＨ）のうちの少なくとも１つをパンクチャすることに基づいて、識別される、［４４］に記載のコンピュータ可読媒体。
［４７］  前記ＵＥは、前記ヌルトーンパターンに基づいて、無認可または共有スペクトル上で、ワイヤレスローカルエリアネットワーク（ＷＬＡＮ）またはワイヤレスワイドエリアネットワーク（ＷＷＡＮ）によって引き起こされた干渉を検出するように構成されている、［４４］に記載のコンピュータ可読媒体。
［４８］  前記基地局との前記通信は、無認可または共有スペクトルを通して、行われる、［４４］に記載のコンピュータ可読媒体。
［４９］  前記命令は、
前記基地局に関連付けられた、セル識別（ＩＤ）および対応する前記ヌルトーンパターンを、メモリ中に記憶することをさらに実行可能である、［４４］に記載のコンピュータ可読媒体。
［５０］  ワイヤレス通信のための装置であって、
プロセッサと、
前記プロセッサに結合されたメモリとを備え、
前記メモリは、前記プロセッサによって、
ユーザ機器（ＵＥ）において、ブロードキャスト情報を復号し、
前記ブロードキャスト情報に基づいて、少なくとも１つのサブフレームに関連付けられたヌルトーンパターンを識別し、
前記ヌルトーンパターンを識別することに基づいて、基地局と通信することを実行可能な命令を含む、装置。
【図１】
0006619020.tif 000002
【図２Ａ】
0006619020.tif 000003
【図２Ｂ】
0006619020.tif 000004
【図２Ｃ】
0006619020.tif 000005
【図２Ｄ】
0006619020.tif 000006
【図３】
0006619020.tif 000007
【図４】
0006619020.tif 000008
【図５】
0006619020.tif 000009
【図６】
0006619020.tif 000010